(57)【要約】      （修正有）【課題】残量にかかわらず、容器の外観を変えずにペースト状のものを取り出すことができる容器を提供する。【解決の手段】傾斜溝の付いた外容器と、縦溝を有し、回転可能な中間壁と、ペースト状物資を入れる伸縮自在なジャバラ構造容器と、２つの水平突起が付いた内容器とからなる。中間壁を回転させることで、突起が傾斜溝に沿って上昇し、内容器に載ったジャバラ構造容器は圧縮されて上昇する。【選択図】図−２
0003181525.tif 000002
【実用新案登録請求の範囲】
【請求項１】
一般的に利用されているＰＰ材料等によるチューブ形式のペースト状物資の収納容器  の難点を解消し、より便利な容器とするように容器の形状・構造を
１．  伸縮自在なジャバラ構造容器にペースト状物資を入れて内容器に載せ、中間壁を回  転させることで中間壁の縦溝を突き抜けて内容器に付いた２つの突起が外容器の傾斜溝  に沿い上昇するので、この時内容器に載ったジャバラ構造容器は圧縮されて上昇し、ペ  ースト状物資を押出す力となる容器の形状・構造
２．上記の機能を発揮するため１．傾斜溝の付いた外容器、２．縦溝が付き回転すること  ができる中間壁、３．ペースト状物資を入れる伸縮自在なジャバラ構造容器、４．２つ  の水平突起が付いた内容器の４個の部材の組合せによる容器の形状・構造
３．残量が見て分かるように内容器の位置が確認できるように、中間壁を透明とし、また  外容器にも縦状に透明部を設ける容器の形状・構造
という三つの特徴を持つ形状・構造を有することで、収納物の残量の多少に拘わらず、▲１▼容器の外観形状は変化することなく一定であり、▲２▼収納物表面は常に取出口に上がってきており、回転による▲３▼取出し操作も常に一定であるという、簡単で便利な容器となる。
このような▲１▼〜▲３▼の特徴を持つ容器の形状・構造
【考案の詳細な説明】
【技術分野】
【０００１】  ペースト状であるマヨネーズ等に使用されている軟質容器の特長を生かし、容器は常に購入時と同じ形状を維持し、残量に拘わらず取出し操作も常に一定とするペースト状物資を入れる容器に関するものである。
【背景技術】
【０００２】  準固形物やペースト状物資の収納容器としては、次のような３種類が一般的に利用されている。
１．準固形物である口紅や糊等は回転できる硬質な内容器に固定して入れ、この内容器を  回転させることで上昇させ、利用面を容器の最上部から押出させる。
２．ペースト状であるマヨネーズ、ケチャップ、練歯ミガキ等は軟質のチューブ状の容器  に入れて、押す力を掛けて中味を押出す。
３．粘度の比較的高いジャムや化粧クリーム等は硬質の固形容器に入れて、サジや指で掻  き出して利用する。
一般的にこのような３種類の容器の形式と取出し方法がある。
【考案の概要】
【考案が解決しようとする課題】
【０００３】  現状ではペースト状であるマヨネーズ等はポリプロピレンやエチレンビニールアルコール樹脂等の軟質なチューブ状の容器に、そして粘度の高いジャム等はガラス等の硬質な容器に入っている。
軟質なチューブ形式等の容器は残量の減少に応じて、容器は変形し残量を押出すのに手間が掛るし、容器の自立ができなくなり、美観上、保管上に難点がある。一方硬質な容器は取出しに別途用具を用いねばならず、また残量が少なくなると容器に付着したものを掻き集めることが必要となり、取出しに手間が掛る。特に食品の場合は、残量が少なくなるに従い、容器の内壁に付着しているものを掻き集めて食するダーティなイメージが残り、また空気接触面の増加による品質の劣化への心配がある。
本案は以上の欠点を無くし、マヨネーズ等の残量の多少に拘わらず、外観上は容器の形状は変わらず、マヨネーズ等の表面位置は常に購入時と同じ取出口にあって、空気との接触面と面積は常に変わらないので、新鮮な感覚を維持することができ、また残量に拘わらず同じ操作で取出しができることを目的とする。
【課題を解決するための手段】
【０００４】  口紅容器の上昇構造を応用し、マヨネーズ等はペースト状であるので、収縮することができるジャバラ構造容器に入れて、これを回転し、上昇する内容器に載せることでジャバラ構造容器も圧縮上昇することができるので、この上昇力により最上部の取出口よりマヨネーズ等が押出されることになる。
【考案の効果】
【０００５】  本容器は口紅容器構造の回転による上昇機能を応用しているが、口紅のような準固形ではなくペースト状のものであるので、次のような特徴が利用可能となる。
１．残量の多少に拘わらず、表面位置は常に購入時と同じ取出口に保つことができ、また  取出の操作も常に同じである。
２．ジャム等の食品の容器として利用する場合に、取出口を広くしても１．で示すように  表面位置が常に取出口に上がってくるので、残ったもの掻き集めて食するのだという不  快感を生じない。
３．で示すように表面位置が常に取出口に上がってくるので、収納物の空気との接触面は  購入時と同じく、常に取出口のみとなり、品質の劣化の心配が無い。
４．容器の形状は残量の多少に関係なく、常に購入時と同じ形状を保つため、美観上、保  管上の心配が無い。
５．外容器は蓋構造とすれば、ジャバラ構造容器のみを新品と交換することができ、他は  、そのまま利用できるので、容器材料の節約、ゴミの減少につながる。
６．練ハミガキ等は取出口のある上部で回転操作をするのが便利であり、指の構造上操作  のしやすい左回転とすることもできる。
７．取出口を細くして、液体状のものにも利用できる。
【図面の簡単な説明】
【０００６】
【図−１】容器の斜視図  ［図−１−１］マヨネーズ等  ［図−１−２］ジャム等  ［図−１−３］練ハミガキ等
【図−２】容器の断面図  ［図−２−１］縦断面図  マヨネーズ等  ［図−２−２］Ａ−Ａ  横断面図
【図−３】説明用の展開図  中間壁の回転で内容器を上昇させる  ［図−３−１］展開図  ［図−３−２］Ｂ−Ｂ  断面図
【図−４】容器の構造図  ［図−４−１］外容器  ［図−４−２］中間壁  ［図−４−３］ジャバラ構造容器  ［図−４−４］内容器
【図−５】用途別容器の縦断面図  ［図−５−１］マヨネーズ等  ［図−５−２］ジャム等ｘ  ［図−５−３］練ハミガキ等  ［図−５−４］液体用
【考案を実施するための形態】
【０００７】  口紅の容器は回転させることで、口紅そのものを上昇させる構造となっており、この構造を改良して応用する。
口紅容器は基本的には１．上昇させるための傾斜する溝の付いた外容器、２．口紅を外容器と分断するための縦溝の付いた中間壁、３．口紅が載る水平な２つの突起を有する内容器の３層の構造から成る容器となっており、中間壁の縦溝を突き抜けて内容器の２つの突起が外容器の傾斜溝にはまり、中間壁を回転させることによって内容器は外容器の傾斜溝に沿って上昇し、内容器に固定して収められた準固形物である口紅も上昇して、外容器の上部から突き出るので、これを口紅に塗るようになっている。
また中間壁の縦溝の上端、下端では溝が横向きになっておりここに突起がはまって回転（上昇、下降）を停止できるようになっている。
だが、マヨネーズ等のペースト状のものは口紅のように準固体ではなく流動するものなので、同じことはできないため流動するものに応用できるように改良する。
本案の場合は、［図２−１］縦断図で示すように１．傾斜溝の付いた外容器、２．ジャバラ構造容器をからませないための縦溝の付いた中間壁、収納するものが口紅のような準固定物ではなくペースト状であるので、これを入れる３．伸縮自在なジャバラ構造容器と、これを載せる４．２つの水平な突起を有する内容器の４層の構造であり、内容器に付いた突起が中間壁を突き抜けて外容器の傾斜溝にはまり、中間壁を回転させることで内容器が外容器の傾斜溝に沿って上昇し、それに従いジャバラ構造容器も圧縮されて収縮して共に上昇し、収納物は最上部の取出口から抽出される構造となっている。そして、この上昇力によってマヨネーズ等が押出されるようにする。
ジャバラ構造容器の径と外容器の溝の傾斜度の組合せにより回転させた場合の抽出量が決まるので、一回当りの一般的利用量を配慮して容器の径と溝の傾斜度を決めればよい。
なおジャバラ構造容器が上昇する際にジャバラが溝につっかえないように、口紅の構造を応用し、傾斜溝の付いた外容器とマヨネーズ等の入ったジャバラ構造容器の間には滑らかな中間壁を設け、中間壁には縦状に溝を掘抜き、内容器に付けた突起が、この縦溝を突き抜けて外容器の溝にはまるので、ジャバラ構造容器を載せた内容器はつっかえること無く、滑らかな中間壁の縦溝沿いに回転しながら上昇することができ押出力となる。
このように生活上でよく使うペースト状物資の便利な容器として利用するため、口紅に使われている容器の形状・構造を改良する。
なお、内容器をスムーズに外容器の傾斜溝に沿い上昇させるには容器の口径の大小や、マヨネーズ等の重量に応じて突起の数を２から３へと増加させ、水平確保を確実にすればよい。
また最終段階ではジャバラ構造容器の圧縮された厚さに応じた部分のマヨネーズ等はジャバラ構造容器の底部を凸状に盛上げることで、余すところ無く押出しできるようにすれば良い。
またマヨネーズ等は取出口近くにあるものが滞留せずに順次押出されるように、取出口の手前は滑らかな傾斜構造とし、傾斜にそって押出され易くすると良い。
またジャバラ構造容器は高伸縮比率の高く、柔らかい材質のものを使うことで収納量を増すことができると共に少ない力で滑らかに上昇させることができる。
また回転する中間壁は必要に応じてラチット構造の逆転防止装置を設け、使用時の逆転防止計るのも良い。
【符号の説明】
【０００８】１．外容器
２．中間壁
３．ジャバラ構造容器
４．内容器
５．蓋（外容器）
６．溝（外容器）
７．縦溝（中間壁）
８．回転部（中間壁）
９．キャツプ（ジャバラ構造容器）
１０．突起（内容器）
１１．透明部（外容器）
【図−１】
0003181525.tif 000003
【図−２】
0003181525.tif 000004
【図−３】
0003181525.tif 000005
【図−４】
0003181525.tif 000006
【図−５】
0003181525.tif 000007